(57)【特許請求の範囲】
【請求項１】
横長であってほぼ円筒の一部を切欠いた形状をなし、円筒状の手すり（１３）の外周の任意の位置に対し着脱自在な手すり取付部（１）と、この手すり取付部（１）の上部に設けられた、可撓性を有するとともに内部に外部からの押圧力により接離自在な接点が設けられた帯状のスイッチ（５）とを備え、
前記手すり取付部（１）は底部が開口され、互いに対向配置された一対の弧状の取付片（１ａ）が形成されているとともに、上部に開口部（３）を有するスイッチケース（２）が一体形成され、このスイッチケース（２）に前記スイッチ（５）が取付けられたことを特徴とする車いすトイレ用押ボタンスイッチ。
【請求項２】
請求項１記載において、前記スイッチケース（２）は、その内部の両端部の下部と前記手すり取付部（１）の上部（１ｂ）との間にスイッチ取付部（４）が形成され、スイッチ（５）の両端がそれぞれ取付けられ、かつ前記スイッチ（５）は、可撓性を有する平板中空状の外被（７）の内部に上部電極（８）が長さ方向に沿って帯状に設けられているとともに、この上部電極（８）と隙間（９）を介し帯状の下部電極（１０）が対向して設けられたことを特徴とする車いすトイレ用押ボタンスイッチ。
【請求項３】
横長であってほぼ円筒の一部を切欠いた形状をなし、円筒状の手すり（１３）の外周の任意の位置に対し着脱自在な手すり取付部（１）と、この手すり取付部（１）の上部に設けられた、可撓性を有するとともに内部に外部からの押圧力により接離自在な接点が設けられた帯状のスイッチ（５）と、この帯状スイッチ（５）と前記手すり取付部（１）との間に設けられたバネとを備え、
前記板バネ（２５）は中央部が上方に向って湾曲され、前記手すり取付部（１）の上部に形成された凹部（１ｃ）に設けられ、
前記手すり取付部（１）は底部が開口され、互いに対向配置された一対の弧状の取付片（１ａ）が形成されているとともに、上部に開口部（３）を有するスイッチケース（２）が一体形成され、このスイッチケース（２）に前記スイッチ（５）が取付けられたことを特徴とする車いすトイレ用押ボタンスイッチ。
【発明の詳細な説明】
【０００１】
【発明の属する技術分野】
この発明は車いすトイレ用呼出押ボタンに関する。
【０００２】
【従来の技術】
病院等には通常のトイレのほかに、車いすを使用している人のために車いす用のトイレが設置されている。
【０００３】
すなわち、一般的に片麻痺患者は車いすを使用しており、片麻痺患者は体が不自由であるため、外部から助けを求める必要がある。
【０００４】
このため、車いす用のトイレには、図１５に示すように、トイレ内の壁２１にナースコール用の呼出押ボタン２３が設置されている。
【０００５】
【発明が解決しようとする課題】
しかしながら、この呼出押ボタン２３が片麻痺患者にとって使いにくいほうの壁２１に設置されている場合、呼出押ボタン２３を押そうとすると体を反転させ、無理な姿勢でボタンを押さなければならず、その際にバランスを崩し、転倒事故が発生する、という課題があった。
【０００６】
この発明は上記のことに鑑み提案されたもので、その目的とすることろは、片麻痺患者のような身障者が車いす用のトイレにおいて、容易に操作可能な呼出押ボタンを提供することにある。
【０００７】
【課題を解決するための手段】
この発明は、横長であってほぼ円筒の一部を切欠いた形状をなし、円筒状の手すり１３の外周の任意の位置に対し着脱自在な手すり取付部１と、この手すり取付部１の上部に設けられた、可撓性を有するとともに内部に外部からの押圧力により接離自在な接点が設けられた帯状のスイッチ５とを備え、
前記手すり取付部１は底部が開口され、互いに対向配置された一対の弧状の取付片１ａが形成されているとともに、上部に開口部３を有するスイッチケース２が一体形成され、このスイッチケース２に前記スイッチ５が取付けた構成として上記目的を達成している。
【０００８】
また、請求項１記載において、前記スイッチケース２は、その内部の両端部の下部と前記手すり取付部１の上部１ｂとの間にスイッチ取付部４が形成され、スイッチ５の両端がそれぞれ取付けられ、かつ前記スイッチ５は、可撓性を有する平板中空状の外被７の内部に上部電極８が長さ方向に沿って帯状に設けられているとともに、この上部電極８と隙間９を介し帯状の下部電極１０が対向して設けた構成としている。
【０００９】
また、横長であってほぼ円筒の一部を切欠いた形状をなし、円筒状の手すり１３の外周の任意の位置に対し着脱自在な手すり取付部１と、この手すり取付部１の上部に設けられた、可撓性を有するとともに内部に外部からの押圧力により接離自在な接点が設けられた帯状のスイッチ５と、この帯状スイッチ５と前記手すり取付部１との間に設けられたバネとを備え、
前記板バネ２５は中央部が上方に向って湾曲され、前記手すり取付部１の上部に形成された凹部１ｃに設けられ、
前記手すり取付部１は底部が開口され、互いに対向配置された一対の弧状の取付片１ａが形成されているとともに、上部に開口部３を有するスイッチケース２が一体形成され、このスイッチケース２に前記スイッチ５が取付けた構成とし、上記目的を達成している。
【００１０】
【発明の実施の形態】
この発明の呼出押ボタンスイッチは、病院、商業施設や駅などの公共施設に設けられている車いす用トイレに設置されているパイプ状の手すりの任意の位置に極めて容易に着脱自在構造とし、身障者のすぐ近くにスイッチを取付けることができ、使い勝手を良くしている。
【００１１】
また、本発明では、スイッチ部分を高齢者にも操作しやすいボタンの大きさと見やすいようにしている。
【００１２】
さらに、手すりに取付けても、手すり本来の機能・美観を損なわない形状としている。
【００１３】
【実施例１】
図１は本発明の呼出押ボタンスイッチの外観斜視図、図２は分解斜視図、図３は内部構造説明図、図４は図３中Ａ−Ａ線断面図を示す。
【００１４】
これらの図中１はＰＰ等の樹脂を形成してなる手すり取付部で、握りやすいように横長のほぼ円筒状に形成され、底部が開口され、円筒の一部を切欠いた形状をなし、互いに対向配置された一対の弧状の取付片１ａを有している。
【００１５】
この手すり取付部１の上部には、上部に開口部３が形成され、かつその下側に空間部が形成されたスイッチケース２が一体形成されている。
【００１６】
このスイッチケース２は、図３に示すように、その内部の両端部の下部と手すり取付部１の上部１ｂとの間にはスイッチ取付部４がそれぞれ形成され、この部分に薄肉状であって帯状に形成されたフレキシブルな構造のスイッチ５の両端が取付け、固定されている。
【００１７】
固定手段としては、例えば接着剤を用いれば容易に固定することができる。
【００１８】
この帯状スイッッチ５は可撓性を有し、一端部からコード６が外部に引出されている。
【００１９】
図５（ａ）、（ｂ）は帯状スイッチ５の内部構造を示す。
【００２０】
可撓性を有する樹脂製の平板中空状の外被７の内部に接点部材である上部電極８が長さ方向に沿って帯状に設けられているとともに、この上部電極８と隙間９を介し帯状の下部電極１０が対向して設けられている。
【００２１】
上部電極８は導電性の薄い金属板からなり、上方に向ってゆるやかな弧状に湾曲形成された湾曲部８ａを有し、かつ上部電極８と下部電極１０との両端部には樹脂フィルムからなる絶縁材１１が設けられ、常態時には両者は非接触になっている。
【００２２】
上部電極８および下部電極１０の端部にはそれぞれ図１〜図３に示したコード６の一端が接続されている。
【００２３】
そして、帯状スイッチ５を下方に向って曲げると上部電極８は下方に湾曲して下部電極１０と接触し、スイッチオン状態となり、押圧力を解除すると上部電極８はその形状、材質等に起因するバネ性により形状が復帰し、上部電極８は下部電極１０から離間し、非接触となり、スイッチオフ状態となるように構成されている。
【００２４】
なお、この場合、上部電極８にはスリット８ｂが形成され、変形しやすいように構成されている。
【００２５】
このように、スイッチケース２を有する手すり取付部１とスイッチ５とを備え、本発明の呼出押ボタンスイッチＡが構成されている。
【００２６】
なお、スイッチ５とスイッチケース２を有する手すり取付部１とを、例えばスイッチ５を赤系の色に、スイッチケース２等を白系の相異なる異質の色に着色して色分けし、高齢者が見やすいようにしている。
【００２７】
図６は車いす用トイレ内の便器１２の近くに設置されたパイプからなる手すり１３に本発明の呼出押ボタンスイッチＡを取付けた状態を示す。この場合、手すり１３は円筒状のパイプをほぼＵ字状に折曲して形成され、その基端は壁１４に固定され、手すり１３の下側の適位置に呼出押ボタンスイッチＡが取付けられている。この場合、手すり取付部１は手すり１３に対応した全体として細長いほぼ円筒状とし、違和感がないようにし、美観を損うことはなく、また、スイッチ５の長さを例えば１０ｃｍ前後とし、握り易くし、上から押すだけでなく、握っても操作できるようにしている。
【００２８】
取付ける場合、図７（ａ）に示すように、手すり１３の上方に円弧状の手すり取付部１の取付片１ａを位置させ、矢印ａで示すように、下動させ、取付片１ａの先端部が手すり１３の外周に当接した時点で更に押し込めば、取付片１ａは材質に起因する弾性により外側に押し広げられるため、最終的には図７（ｂ）に示すように、手すり取付部１は手すり１３の外周に嵌合され、呼出押ボタンＡを取付けることができる。
【００２９】
この場合、手すり取付部１が手すり１３に対し密に嵌合するようにその内径を設定しておけば、比較的堅固に固定することができる。
【００３０】
なお、図８に示すように、手すり取付部１の適箇所に孔１５を形成し、そこに紐（図示せず）を通し、手すり１３に巻き付けて固定するようにすれば良い。
【００３１】
取り外す場合、逆の手順で容易に取り外すことができる。
【００３２】
図９は本発明の一使用例を示す。１６は呼出押ボタンスイッチＡのコード６の端部に設けられたコネクタであり、呼出押ボタンスイッチＡは周知の電気回路（図示せず）を介しドア１７の外部の壁１８に設けられた廊下灯１９と接続され、押された場合、廊下灯１９が点灯し、外部に知らせることができるように構成される。また、ナースステーション（図示せず）にも接続される。２０は車いす用トイレ内の壁２１に設けられたマイク・スピーカであり、身障者２２がナースステーション側と通話ができるようになっている。また、２３は壁２１に設置された呼出押ボタンであり、これらは公知である。
【００３３】
図１０（ａ）〜（ｃ）は手すり１３の他の種々の例であり、これらの適位置についても適宜本発明を適用できる。
【００３４】
図１１は病室２３内のベッド２４の近くのベッドサイドに設けられた手すり１３に呼出押ボタンスイッチＡを取付けた例を示すもので、本発明は、車いす用トイレ以外にも適用し得る。
【００３５】
【実施例２】
図１２は本発明の第２実施例の平面図、図１３は内部構造を示す側断面図、図１４は図１３中Ａ−Ａ線断面図を示す。
【００３６】
この実施例では呼出押ボタンスイッチＡを押した場合の感触を向上させたものである。
【００３７】
この実施例では、手すり取付部１の上部１ｂ上方中央部に凹部１ｃが形成され、この凹部１ｃに板バネ２５が設けられている。
【００３８】
この板バネ２５は、帯状のスイッチ５を上方から押圧した場合、好適なタクト感を出すために中央部は上方に向って湾曲されて、この板バネ２５の上部に帯状スイッチ５が設けられている。
【００３９】
帯状スイッチ５の両端上部は手すり取付部１の上部両端に形成されたほぼＬ字状のスイッチ取付部１ｄが位置され、この部分に帯状スイッチ５の両端部が固定されている。
【００４０】
なお、スイッチ５の上方中央部に突部５ａを長さ方向に沿って形成しておくと、心材として機能し、強度が向上する利点がある。
【００４１】
さらに、帯状スイッチ５の上方は樹脂製のスイッチケース２によって覆われている。
【００４２】
このスイッチケース２の中央部には開口部３が形成され、この開口部３に押ボタン２６が上下動自在に設けられている。
【００４３】
この押ボタン２６の下面中央部に突部２６ａが形成され、この突部２６ａは帯状スイッチ５の突部５ａと当接し、押ボタン２６を下方に押した場合、帯状スイッチ５の突部５ａを押圧するように構成され、これによってスイッチがオン状態となる。
【００４４】
この場合、帯状スイッチ５の下方に板バネ２５が設けられ、その湾曲部２５ａのバネ力に抗して押ボタン２６を押すため、適度なタクト感が得られる。
【００４５】
また、押圧力を解除すると板バネ２５の湾曲部２５ａの復元力により、帯状スイッチ５の撓みを押し上げ、元の状態となり、速やかにスイッチをオフ状態にすることができる。
【００４６】
その他の構成は、第１実施例とほぼ同様である。
【００４７】
なお、組立てにあたっては、手すり取付部１の上部１ｂに板バネ２５を設け、その両端を接着剤等を介し固定し、手すり取付部１に設けられたスイッチケース２の開口部３から帯状スイッチ５を入れ、その両端部を固定し、押ボタン２６を開口部３に設ければ良い。
【００４８】
あるいは、帯状スイッチ５を取付た後、押ボタン付のスイッチケース２を手すり取付部１の上部に取付けても良い。
【００４９】
【発明の効果】
以上のように請求項１記載の本発明によれば、部品点数が少なく簡易構成であって安価に製作できる押ボタンスイッチを身障者の使い勝手の良い場所に極めて容易に設置できるため、身障者の転倒事故を防止でき、安全性を向上させることができる。また、手すり１３を握る感覚で使用でき、操作性が良く、かつ手すり１３にほぼ対応した形状としたため、美観を損うことはない。
【００５０】
また、請求項２記載の本発明によれば、身障者の転倒事故防止、安全性の向上に加え、帯状スイッチ５の下部にバネ２５を設けてあるため、押ボタン操作の際、好適なタクト感を得ることができる。
【００５１】
さらに、請求項３、４記載によれば、スイッチ部分とケース側とを色分けしたため、高齢者にも見やすく、操作性が良好である。
【図面の簡単な説明】
【図１】本発明の第１実施例の全体斜視図を示す。
【図２】同上の分解斜視図を示す。
【図３】本発明の第１実施例の内部構造を示す側断面図を示す。
【図４】図３中Ａ−Ａ線断面図を示す。
【図５】（ａ）は本発明の一実施例に用いられるスイッチの一例の縦断面図、（ｂ）はその上部電極と下部電極の構造を示す部分斜視図を示す。
【図６】本発明の第１実施例の取付状態を示す説明図。
【図７】（ａ）は本発明の第１実施例の取付前、（ｂ）は取付後の説明図。
【図８】本発明の第１実施例の他の例。
【図９】本発明の第１実施例の一適用例。
【図１０】（ａ）〜（ｃ）はそれぞれ他の適用例を示す。
【図１１】本発明の更に他の適用例を示す。
【図１２】本発明の第２実施例の平面図。
【図１３】同上の内部構造を示す縦断面図。
【図１４】図１３中Ａ−Ａ線断面図を示す。
【図１５】従来例を示す。
【符号の説明】
Ａ  呼出押ボタンスイッチ
１  手すり取付部
１ａ  取付片
１ｂ  上部
２  スイッチケース
３  開口部
４  スイッチ取付部
５  スイッチ
５ａ  突部
６  コード
７  外被
８  上部電極
８ａ  湾曲部
９  隙間
１０  下部電極
１１  絶縁材
１２  便器
１３  手すり
１４  壁
１５  孔
１６  コネクタ
１７  ドア
１８  壁
１９  廊下灯
２０  マイク・スピーカ
２１  壁
２２  身障者
２３  病室
２４  ベッド
２５  板バネ
２５ａ  湾曲部
２６  押ボタン
２６ａ  突部
【図１】
0003559264.tif 000002
【図２】
0003559264.tif 000003
【図３】
0003559264.tif 000004
【図４】
0003559264.tif 000005
【図５】
0003559264.tif 000006
【図６】
0003559264.tif 000007
【図７】
0003559264.tif 000008
【図８】
0003559264.tif 000009
【図９】
0003559264.tif 000010
【図１０】
0003559264.tif 000011
【図１１】
0003559264.tif 000012
【図１２】
0003559264.tif 000013
【図１３】
0003559264.tif 000014
【図１４】
0003559264.tif 000015
【図１５】
0003559264.tif 000016